(57)【要約】【課題】軽量性を維持しながら、打撃時の振動や衝撃を緩和させ、音鳴りも防ぐ。【解決手段】繊維強化製のプリプレグ２１〜２７の積層体からなり、中空部１１を有する管状体の繊維強化樹脂製のゴルフクラブシャフト１０であって、中空部１１内に１個または複数個の発泡体３２を装着し、かつ、中空部１１内に装着された状態において、中空部内周面１１ａに当接しない発泡体３２の少なくとも一部の面３２ｂ、３２ｃに粘着性材３５を配設している。【選択図】図４
2007125255.tif 000002
【特許請求の範囲】
【請求項１】
繊維強化プリプレグの積層体からなり、中空部を有する管状体の繊維強化樹脂製のゴルフクラブシャフトであって、
前記中空部内に１個または複数個の発泡体が装着され、該装着された発泡体が中空部内周面に当接しない非接触面の少なくとも一部の面に粘着性材を配設していることを特徴とするゴルフクラブシャフト。
【請求項２】
前記中空部内に装着された各発泡体の厚み（シャフト長手方向の長さ）が１ｍｍ以上１０ｍｍ以下であり、かつ、各発泡体の厚み方向の中心位置を、グリップ側シャフトエンドから１ｃｍ〜１０ｃｍの範囲内に位置させている請求項１に記載のゴルフクラブシャフト。
【請求項３】
前記発泡体は、その内部に比重５以上の重量体を備え、該重量体が前記中空部内周面と非接触で前記発泡体を介してシャフトに支持されている請求項１または請求項２に記載のゴルフクラブシャフト。
【請求項４】
前記中空部内に配置された前記重量体の重量合計が５ｇ以下である請求項１乃至請求項３のいずれか１項に記載のゴルフクラブシャフト。
【発明の詳細な説明】
【技術分野】
【０００１】
本発明は、ゴルフクラブシャフトに関し、特に、打撃時の不快な振動や音鳴りを緩和するものである。
【背景技術】
【０００２】
近年、打球の速度向上、安定性向上のため、ゴルフクラブヘッドに重量を集中させ、ゴルフクラブシャフトは軽量化を図る傾向にある。そのため、ゴルフクラブシャフトの材料は、軽量で、比強度、比剛性の高いカーボンプリプレグ等の繊維強化樹脂が主流となっている。
【０００３】
このような軽量なゴルフクラブシャフトは、スイング時のヘッドスピードが上がり、飛距離が伸びる点に長所がある一方、軽量化により、打撃時にプレーヤーに不快な振動や衝撃が伝わりやすいという短所がある。これは、シャフト自体が軽くなることで、従来のシャフトの振動とは異なる高い周波数の振動が生じ、この高い周波数の振動に起因して打撃時の不快感が生じていることによる。そのため、近年のゴルフプレーヤーには、打撃時の振動、衝撃により、肘や肩などに障害を持つプレーヤーが増加している。
【０００４】
前記問題に関し、特開平６−３３９５５１号（特許文献１）では、図１０（Ａ）（Ｂ）に示すように、心棒３ｃに通した錘体３ｄを粘弾性体３ｂを介して筒体３ａに支持させた動吸振器３を、グリップ部２のシャフト１内に設けることにより、不快感の原因となる高次モードの固有振動数成分を重点的に抑制できるとしている。
【０００５】
また、特開２００３−７０９４４号（特許文献２）では、図１１（Ａ）〜（Ｄ）に示すように、１０℃でのｔａｎδが０．７以上の弾性材料からなる振動吸収部材５を、グリップ側のシャフト４の中空部に設けることを提案している。この振動吸収部材５については、中空部を有する本体５ａと、連結部５ｂを介して本体５ａと連結される中央部５ｃと、本体５ａの外周に設けられ、中空部内周面と接する突起部５ｄとを備えた構造とすることも提案されている。
これにより、中央部５ｃがシャフト４の振動に対して共振することができ、打撃時の振動や衝撃を効果的に吸収できるとしている。
【０００６】
しかしながら、前記動吸振器３の構造では、錘体３ｄの重量が重く、粘弾性体３ｂ、心棒３ｃの重量を考えると、かなりの重量増となり、軽量化の観点から問題がある。
また、前記振動吸収部材５は、シャフト４の中空部内周面との接着面積、接着箇所が多いため、中央部５ｃの振動方向が制限され、振動吸収性の向上には改良の余地がある。
【０００７】
一方、軽量、非軽量とを問わず、従来のシャフトは、製造過程においてシャフト中空部内に残存する接着剤屑や破片、シャフトエンド孔から入る異物に起因して、打撃時に不快な音鳴りを生じやすいという問題もある。
【０００８】
【特許文献１】特開平６−３３９５５１号公報
【特許文献２】特開２００３−７０９４４号公報
【発明の開示】
【発明が解決しようとする課題】
【０００９】
本発明は前記問題に鑑みてなされたもので、軽量性を備えながら、打撃時に生じる不快な振動、衝撃、音鳴りを緩和できるゴルフクラブシャフトの提供を課題としている。
【課題を解決するための手段】
【００１０】
前記課題を解決するために、本発明は、繊維強化プリプレグの積層体からなり、中空部を有する管状体の繊維強化樹脂製のゴルフクラブシャフトであって、
前記中空部内に１個または複数個の発泡体を装着し、かつ、
前記中空部内に装着された状態において、中空部内周面に当接しない前記発泡体の少なくとも一部の面に粘着性材を配設していることを特徴とするゴルフクラブシャフトを提供している。
【００１１】
前記構成のゴルフクラブシャフトは、前記発泡体にバネの機能を持たせて各種振動モードに対応した動吸振器として作用させることができるため、打撃時の不快な振動や衝撃を減衰することができ、フィーリングをソフトで良好なものとすることが出来る。
また、発泡体の外面のうち、シャフトの中空部内周面に当接しない面（以下、「発泡体非当接面）と略す）に粘着性材を配設することにより、製造工程において中空部内に残存した接着剤屑や、シャフトエンド孔から入った異物を、粘着性材が粘着捕捉することができ、これらの異物に起因するスイング時の音鳴りを防止することができる。
さらに、前記のような振動減衰性の向上および音鳴りの防止は、非常に軽量な発泡体をシャフト中空部内に装着することで実現しているため、ゴルフクラブの重量増加を招くことなく、軽量性も維持できる。
【００１２】
前記発泡体は、シャフト中空部内に、シャフトの長手方向の軸線に対して垂直に配置して、中空部を閉鎖するように取り付けることが好ましい。これにより、シャフト設計時におけるゴルフクラブの重量バランスを保つことができ、慣性モーメントを維持しゴルフクラブの操作性を低下させずに振動減衰性を高めることができる。また、屑や異物による不快な音鳴りを遮断できると共に、シャフトエンド孔からの水の流入による錆の発生や、その水のヘッド側への流出を防止できる。
【００１３】
具体的には、前記発泡体は、中空部の断面形状に対応する断面円形の円盤形状とし、全外周面をシャフト中空部内周面に当接させることが好ましい。
但し、これに限らず、断面をトラック形状、楕円形状、十字形状などとする柱状として、外周面または側面の一部のみをシャフト中空部内周面に当接させてもよい。
【００１４】
前記発泡体としては、ポリウレタン系、ポリエチレン系、ポリビニルアルコール系、酢酸ビニル系、ポリスチレン系、ポリエステル系等を用いることができる。なかでも、ポリウレタン系やポリエステル系の発泡体は、汎用性があり、比重も軽いため特に好ましい。
前記発泡体の比重は、０．０１以上０．１４以下であることが好ましい。これは、０．０１より小さいと、発泡体自体の強度が低くなり、０．１４を超えると、発泡体重量が重くなるうえ、発泡体自体が剛性を有するようになり、振動減衰性が低下することに因る。
【００１５】
前記発泡体の装着は、発泡体を中空部内に固定する保持力と、装着作業性と、シャフト外形に影響しないこと等を考え合わせ、粘着材または接着剤によって中空部内周面へ発泡体の外面を固着させて装着することが好ましい。その場合、粘着材や接着剤の固着力は、発泡体をシャフト中空部内に圧入接着できる程度の固着力であることが好ましい。
なお、この粘着材または接着剤として、前記発泡体非当接面に配設される粘着性材と同一の粘着性材を用いてもよい。
【００１６】
前記粘着性材は、前記発泡体非当接面の少なくとも一部に配設すればよいが、前記屑等の粘着捕捉効率を上げるには、粘着性材の配設面積は大きい方が好ましい。特に、屑や異物などはゴルフクラブの先端側に多く残存するため、発泡体のヘッド側の端面には出来るだけ広面積に粘着性材を取り付けることが好ましい。
【００１７】
前記粘着性材は、引き剥がし粘着力が５Ｎ／２０ｍｍ以上２５Ｎ／２０ｍｍ以下のものが好ましい。これは、５Ｎ／２０ｍｍより弱いと、粘着力が弱く、経時変化により粘着力が低下した場合に付着した屑等が遊離して音鳴りを再発させやすい。一方、２５Ｎ／２０ｍｍを超えると、発泡体非当接面のみでなく、中空部内周面との当接面にも該粘着性材を配設した場合に、粘着力が強すぎて発泡体の挿入が困難となることに因る。
【００１８】
前記引き剥がし粘着力は、ＪＩＳＺ０２３７に準拠して測定される値とする。具体的には、温度２３±２℃、湿度６５±１５％ＲＨの環境下、以下の条件で測定する。
試験片：大きさ２０ｍｍ×１５０ｍｍのものを３枚
試験機：テンシロン型引っ張り試験機
被着体：ステンレス
圧着：重量２ｋｇのローラを試験片の上から５ｍｍ／秒の速さで一往復させる
測定：圧着後２０分以上放置後、引張速度３００ｍｍ／分で１８０°方向に引き剥がし、２０ｍｍはがした時点から８０ｍｍまでの力の平均値を積分計により求め、３枚の試験片の平均値の平均値を求める。
【００１９】
前記粘着性材としては、アクリル系粘着剤、ゴム系粘着剤、シリコン系粘着剤を好適に用いることができる。なかでも、アクリル系粘着剤は、両面テープ等にも使用され汎用性が高く、適度な接着力により接着した破片等が離れにくいうえ、発泡体の中空部内周面との当接面に配設した場合に該発泡体を中空部内に挿入可能な程度の接着力であることから、特に好ましい。
【００２０】
前記粘着性材の配設作業は、作業性等の観点から、粘着性材を両面に有する両面テープを発泡体表面に貼ることが好ましい。具体的には、日東電工製両面テープが挙げられ、アクリル系粘着剤を使用した両面テープ（Ｎｏ．５３２：７．２Ｎ／２０ｍｍ、Ｎｏ．５１２：１４．６Ｎ／２０ｍｍ、Ｎｏ．５１５：１６．５Ｎ／２０ｍｍ）、ゴム系粘着剤を使用した両面テープ（ＶＲ−５３１１：２０．５Ｎ／２０ｍｍ、Ｎｏ．５３２１：２０．４Ｎ／２０ｍｍ）、シリコン系粘着剤を使用した両面テープ（Ｎｏ．５３０２Ａ：１０．０Ｎ／２０ｍｍ）等を使用できる。
ただし、これに限らず、アクリルゴム系接着剤（３Ｍ  Ｄｅｓｉｇｎ  Ｂｏｎｄ）などの接着剤をスプレーや刷毛を用いて直接塗布する、あるいは、ディッピング等により発泡体に取り付けてもよい。
【００２１】
前記中空部内に装着された状態でシャフト長手方向の長さとなる各発泡体の厚みは、１ｍｍ以上１０ｍｍ以下とすることが好ましい。かつ、各発泡体の厚み方向の中心位置を、グリップ側シャフトエンドから１ｃｍ〜１０ｃｍの範囲内に位置することが好ましい。即ち、ゴルファーが把持するグリップ側の中空部に配置することが好ましい。
【００２２】
前記発泡体の厚み（シャフト長手方向の長さ）を１ｍｍ以上１０ｍｍ以下としているのは、１ｍｍ未満では発泡体自体の耐久性が低くなり、発泡体が破損する恐れがあり、逆に１０ｍｍより厚くなると、発泡体自体のバネ効果が低下し、十分な振動減衰性が得られないことに因る。さらに、発泡体の厚みは、２ｍｍ以上９ｍｍｍ以下、特に２ｍｍ以上５ｍｍ以下が好ましい。
中空部内に複数の発泡体を装着する場合は、各発泡体の厚みも前記範囲内とすることが好ましい。
【００２３】
発泡体の配置位置をグリップ側としているのは、各振動モードの腹の位置にあたるグリップ側シャフトエンドの近傍に発泡体を配置することにより、各種振動モードに対する効果的な振動減衰性を得ることができるためである。
ただし、より厳密に、発泡体の厚み方向の中心位置を、グリップ側シャフトエンドから１ｃｍ〜１０ｃｍの範囲内としているのは、発泡体がグリップ側シャフトエンドに近すぎてグリップエンドに接触すると、発泡体の振動の妨げとなり、十分な振動減衰性が得られず、一方、グリップ側シャフトエンドから１０ｃｍを越えると、発泡体が各振動の節に近づくことになり、やはり振動減衰効果が小さくなることによる。
また、発泡体の位置がグリップ側シャフトエンドから１０ｃｍを越えると、重心が先寄りとなってスイング方向の慣性モーメントが大きくなり、重くて振りにくいシャフトとなる。
【００２４】
さらに、発泡体の厚み方向の中心位置は、グリップ側シャフトエンドから２ｃｍ以上９ｃｍ以下、特に２ｃｍ以上５ｃｍ以下の範囲内が好ましい。
中空部内に複数の発泡体を装着する場合は、各発泡体の厚み方向の中心位置を前記範囲内に位置させることが好ましい。
【００２５】
前記発泡体内に比重５以上の重量体を有するとともに、該重量体が前記発泡体を介してシャフトに支持されていることが好ましい。
前記重量体を発泡体に内包することにより、発泡体と重量体とが共振して動吸振機能を高めることができ、一層効果的な振動減衰性を発揮することができる。
【００２６】
具体的には、１個の発泡体をカットして２枚の発泡体片に分割し、その間に重量体を挟みこみ、この２枚の発泡体片がシャフト長手方向の前後に位置するように装着する。あるいは、１個の発泡体にカッター等で切り口を入れ、該切り口から重量体を挿入してもよい。いずれの場合も、重量体の一部が発泡体から露出していてもよく、重量体がシャフトと非接触で支持される構造であればよい。ただし、重量体の外れを防止するために、重量体を２個の発泡体で挟み込む、あるいは重量体の全表面を発泡体で覆うことが好ましい。
【００２７】
前記重量体はグリップ部の軸直角断面の中心に位置させることが好ましい。これにより、重量体が三次元的に振動することが可能となり、各種振動の振動減衰に寄与することができる。
また、中空部内には、複数の重量体を配置してもよく、その場合、各重量体を発泡体を介してシャフトに支持させる。ただし、重量増加抑制の観点から、重量体は、３個以下、特に１個が好ましい。
【００２８】
前記重量体の形状は、平板状、シート状、角柱状、球状等、様々な形状とすることができるが、装着性と成形性の観点から、平板状、またはシート状が好ましい。
重量体の比重を５以上としているのは、比重５未満では、重量体の効果を得るために体積を大きくする必要があり、中空部内の設置が困難となるためである。
さらに、重量体の比重は５以上２２以下、特に、７以上２０以下が好ましい。比重２２以下としているのは、比重が２２よりも大きい材料を得るには、材料の入手や成形が困難となるためである。
【００２９】
前記重量体としては、金属性材料、あるいは、高比重金属粉末と樹脂、ゴム、エストラマー等の高分子材料とを主成分とし高比重金属粉末が高分子材料に混練分散された混合物材料等が挙げられる。なかでも、入手のしやすさや成形性の観点より、鉛、タングステンが好ましい。
【００３０】
前記金属性材料や高比重金属粉末として用いられる金属は、鉄（比重７．８６）、銅（比重８．９２）、鉛（比重１１．３）、ニッケル（比重８．８５）、亜鉛（比重７．１４）、金（比重１９．３）、白金（比重２１．４）、オスミウム（比重２２．６）、イリジウム（比重２２．４）、タンタル（比重１６．７）、銀（比重１０．４９）、クロム（比重７．１９）、真鍮（比重８．５）、タングステン（比重１９．３）などが挙げられる。
また、前記高分子材料の樹脂としては、種々の熱可塑性樹脂、熱硬化性樹脂、熱可塑性エストラマー等が挙げられる。
【００３１】
前記中空部内に配置された前記重量体の重量合計は５ｇ以下であることが好ましい。これは、５ｇよりも重いと全体重量が重くなるうえ、グリップ側に配置された場合はグリップ部の重量が増加し、ゴルフクラブの振りぬきが悪くなることに因る。重量体の重量は、特に、２ｇ以上４ｇ以下が好ましい。
中空部内に複数の重量体を有する場合も、全重量体の合計重量を５ｇ以下とすることが好ましい。
【発明の効果】
【００３２】
上述したように、本発明によれば、ゴルフクラブの軽量性を維持しながら、打球時の不快な振動や衝撃を減衰できると共に、スイング時の不快な音鳴りを防止でき、ソフトで良好なフィーリングを得ることができる。
また、発泡体を、シャフトの断面を完全に閉鎖できる形状とすることにより、音鳴りを効果的に遮断できるうえ、シャフトエンド孔からシャフト内への水の流入による錆の発生や、その水がヘッド側へ流出することを防止できる。
【発明を実施するための最良の形態】
【００３３】
以下、発明の実施形態を図面を参照して説明する。
図１乃至図４は、本発明の第一実施形態に係るゴルフクラブシャフト１０を示す。このシャフト１０は、繊維強化プリプレグ２１〜２７の積層体からなり、中空部１１を有する長尺な管状体であり、該中空部１１内には、グリップ側シャフトエンド１６近傍に振動吸収部材３１を装着している。該シャフト１０の小径側のヘッド側端部１２にはヘッド１４が取り付けられ、大径側のグリップ側端部１３には、グリップ１５が取り付けられている。該シャフト１０の全長は４６インチ、重量は６２ｇとしている。
【００３４】
前記シャフト１０は、図２に示すように、カーボン繊維を引き揃えて樹脂を含浸させたプリプレグ２１〜２７をシートワインディング製法によりマンドレル２０に順次、内周側から巻きつけて積層した後、ポリエチレンテレフタレート樹脂製等のテープ（図示せず）でラッピングして、これをオーブン中で加熱加圧し樹脂を硬化させて一体的に成形し、マンドレル２０を引き抜いてシャフト１０を製造している。シャフトの表面は研磨を行った後、両端をカットして塗装している。
【００３５】
シャフト１０を構成する前記プリプレグ２１〜２７はいずれも、強化繊維Ｆ２１〜Ｆ２７にエポキシ樹脂を含浸してなり、このプリプレグ２１〜２７を、塗装前シャフト全重量に対して５０重量％以上の割合で用いている。強化繊維Ｆ２１〜Ｆ２７には、引張弾性率が３０ｔｏｎｆ／ｍｍ２以上８０ｔｏｎｆ／ｍｍ２以下のカーボン繊維を用いている。樹脂にはエポキシ樹脂以外の熱硬化性樹脂を使用してもよい。
【００３６】
詳しくは、最内層のプリプレグ２１は、シャフト全長に配置され、幅を３回巻きする幅とし、厚みを０．１０３０ｍｍとしている。強化繊維Ｆ２１は、シャフト軸線に対してなす配向角を−４５°とし、引張弾性率を４０ｔｏｎｆ／ｍｍ２としている。
二層目のプリプレグ２２は、シャフト全長に配置され、幅を３回巻きする幅とし、厚みを０．１０３０ｍｍとしている。強化繊維Ｆ２２は、シャフト軸線に対してなす配向角を＋４５°とし、引張弾性率を４０ｔｏｎｆ／ｍｍ２としている。プリプレグ２１、２２は互いに貼り合わせて積層している。
三層目のプリプレグ２３は、シャフト全長に配置され、幅を１回巻きする幅とし、厚みを０．１０５０ｍｍとしている。強化繊維Ｆ２３は、シャフト軸線に対してなす配向角を０°とし、引張弾性率を３０ｔｏｎｆ／ｍｍ２としている。
四層目のプリプレグ２４は、グリップ側端部１３に配置され、幅を２回巻きする幅とし、厚みを０．１０６０ｍｍとしている。強化繊維Ｆ２４は、シャフト軸線に対してなす配向角を０°とし、引張弾性率を８０ｔｏｎｆ／ｍｍ２としている。
五層目のプリプレグ２５は、シャフト全長に配置され、幅を１回巻きする幅とし、厚みを０．１２６０ｍｍとしている。強化繊維Ｆ２５は、シャフト軸線に対してなす配向角を０°とし、引張弾性率を３０ｔｏｎｆ／ｍｍ２としている。
六層目のプリプレグ２６は、シャフト全長に配置され、幅を１回巻きする幅とし、厚みを０．１２６０ｍｍとしている。強化繊維Ｆ２６は、シャフト軸線に対してなす配向角を０°とし、引張弾性率を３０ｔｏｎｆ／ｍｍ２としている。
七層目のプリプレグ２７は、ヘッド側先端部１２に配置され、幅を３回巻きする幅とし、厚みを０．１２６０ｍｍとしている。強化繊維Ｆ２７は、シャフト軸線に対してなす配向角を０°とし、引張弾性率を３０ｔ／ｍｍ２としている。
【００３７】
前記振動吸収部材３１は、断面円形の円盤形状の発泡体３２の内部に重量体３３を備えている。
具体的には、図３（Ａ）に示すように、発泡体３２をカットして２枚の薄い円盤形状の発泡体片３２−１、３２−２に分割し、発泡体片３２−１、３２−２の間に、重量体３３が中央に位置するように挟み込み、重量体３３が発泡体片３２−１、３２−２から露出しない状態としている。発泡体片３２−１、３２−２の外周面３２ａに、両面に粘着性材３５を有する両面テープ３４を巻きつけて発泡体片３２−１、３２−２を接合している。
また、図３（Ｂ）に示すように、発泡体３２の前端面３２ｂと後端面３２ｃにも、前記両面テープ３４を貼り付け、振動吸収部材３１の全表面に粘着性材３５が配設された状態としている。
【００３８】
前記発泡体３２は、比重０．０２のポリウレタン系発泡体であり、具体的には、軟質ウレタンフォームで、ポリオール、ポリイソシアネートを主成分とし、発泡剤、整泡剤、触媒などを混合して発泡成形してなる。発泡体３２の厚みは２ｍｍとし、各発泡体片３２−１、３２−２の厚みは１ｍｍとしている。また、発泡体３２の前端面３２ｂおよび後端面３２ｃの大きさは、シャフト中空部１１内における後述の装着位置の断面を完全に閉鎖できる大きさに設定している。
前記重量体３３は、比重１１．３の鉛であり、重量が４ｇとなるように平板状に成形されている。
前記両面テープ３４には日東電工製両面テープ（Ｎｏ．５３２）を用い、その両面に塗布されている粘着性材３５は、引き剥がし粘着力が７．２Ｎ／２０ｍｍのアクリル系粘着剤である。
【００３９】
前記構成よりなる振動吸収部材３１は、図４（Ｃ）に示すように、発泡体３２の前端面３２ｂおよび後端面３２ｃがシャフトの軸線方向に対して垂直な断面に平行となるように、かつ、発泡体３２の厚み方向の中心位置３２ｄが、グリップ側シャフトエンド１６から２ｃｍの位置に配置されるように、前記中空部１１内に装着している。
具体的には、前述の通り全表面に粘着性材３５が配設された振動吸収部材３１を、図４（Ａ）に示すように、シャフトエンド孔１７から挿入し、図４（Ｂ）（Ｃ）に示すように、前記所定位置の中空部内周面１１ａと発泡体３２の外周面３２ａとを両面テープ３４の粘着性材３５で固着させている。
【００４０】
前記構成よりなるシャフト１０は、重量体３３がシャフト１０と接触することなく、発泡体３２を介してシャフト１０に支持される構成であるため、発泡体３２がバネとなると共に、重量体３３が打撃時のシャフト１０の振動に共振し、動吸振器として機能することにより、打撃時の不快な振動や衝撃を吸収することができる。
また、発泡体３２の表面のうち、中空部内周面１１ａに当接しない前端面３２ｂおよび後端面３２ｃに、両面テープ３４を貼り付けて粘着性材３５を配設しているため、シャフト内に残存した破片や屑などの異物を粘着性材３５が粘着捕捉でき、これら異物に起因するスイング時の音鳴りも防止できる。
【００４１】
さらに、発泡体３２によりシャフト断面を完全に閉鎖しているため、万が一音鳴りが発生しても、その音を遮断できると共に、シャフトエンド孔１７からの水の流入を防ぎ、シャフト内の錆発生およびヘッド側への水の流出を防止できる。
【００４２】
さらにまた、前記発泡体３２の厚みを２ｍｍとしているため、適度な耐久性とバネ効果とをバランスよく備えることができる。また、発泡体３２の装着位置をグリップ側シャフトエンド１６より２ｃｍの位置としているため、各振動モードの腹の位置に発泡体３２を配置でき、かつ該発泡体３２がグリップエンド１５ａに触れることもないため、振動減衰機能を効果的に発揮できるとともに、重心が先寄りになることもなく、軽く振りやすいシャフトとなる。
さらに、発泡体３２を、シャフト断面に平行に装着することにより、ゴルフクラブの重量バランスを保つことができ、慣性モーメントを維持し、ゴルフクラブの操作性を維持することができる。
【００４３】
前記粘着性材３４は、引き剥がし粘着力が７．２Ｎ／２０ｍｍであるため、前記振動吸収部材３１をシャフト１０に固着する保持力と、異物を粘着させる捕捉力とを備えながら、振動吸収部材３１を中空部１１内へ挿入移動させることができる。
【００４４】
また、重量体３３を比重１１．３の鉛で成形しているため、体積を小さくでき、発泡体３２内に重量体３３を完全に収め、該重量体３３とシャフト１０との接触を防止できる。また、重量体３３の重量を４ｇとしているため、シャフト重量の増加も抑制できる。さらに、重量体３３を発泡体３２の中央に配置しているため、シャフト中空部１１内では、図４（Ｃ）に示すように、シャフト断面の中心に重量体３３が位置することになり、該重量体３３が三次元的に振動することにより、各種振動の振動減衰に効果的に寄与できる。
【００４５】
図５（Ａ）（Ｂ）は、前記第一実施形態の変形例１を示し、振動吸収部材３１および発泡体３６の断面をトラック形状としている。
本変形例１においても、重量体（図示せず）を挟み込んだ発泡体３６の全表面に両面テープ３４を貼り付けて振動吸収部材３１を構成している。
該振動吸収部材３１の装着は、中空部内周面１１ａと発泡体３６の曲面側面３６ａとを両面テープ３４で固着して行い、発泡体３６の平面側面３６ｂは中空部内周面１１ａと接触しない非当接面とし、中空部１１内の異物を粘着捕捉できる面としている。
【００４６】
図６（Ａ）（Ｂ）は、前記第一実施形態の変形例２を示し、振動吸収部材３１および発泡体３７の断面を十字形状としている。
本変形例２においても、重量体（図示せず）を挟み込んだ発泡体３７の全表面に両面テープ３４を貼り付けて振動吸収部材３１を構成している。
該振動吸収部材３１の装着は、中空部内周面１１ａと発泡体３７の凸部側面３７ａとを両面テープ３４で固着して行い、発泡体３７の凹部側面３７ｂは中空部内周面１１ａと接触しない非当接面とし、中空部１１内の異物を粘着捕捉できる面としている。
【００４７】
図７は、本発明の第二実施形態を示し、中空部１１内に２個の振動吸収部材３１を装着している。この２個の振動吸収部材３１は同一構成よりなり、前記第一実施形態と同一の発泡体３２の内部に鉛からなる重量体３３’を有している。該重量体３３’の１個当たり重量は２ｇとしている。
【００４８】
前記２個の振動吸収部材３１は、グリップ側シャフトエンド１６が２ｃｍの位置と、４ｃｍの位置に、それぞれ発泡体３２の厚み方向の中心位置３２ｄが位置するように装着されている。
その他の構成は前記第一実施形態と同一としている。
【００４９】
本実施形態においては、２個の振動吸収部材がいずれも、グリップ側シャフトエンド１６から１ｃｍから１０ｃｍの範囲内に装着され、かつ、２個の重量体３３’の合計重量も４ｇであるため、ゴルフクラブの軽量性を維持しながら、振動減衰効果および音鳴り防止効果を発揮することができる。
【００５０】
なお、本発明は前記実施形態および変形例に限定されるものではない。特に、粘着性材３５は、必ずしも振動吸収部材３１の全表面に配設する必要はない。また、重量体３３、３３’の発泡体内への配置方法は、発泡体３２、３６、３７の一部に設けた切り口から該発泡体内に重量体３３、３３’を押し込んだ後、該切り口を粘着テープ等で封鎖する方法でもよい。
【００５１】
（実施例）
本発明のゴルフクラブシャフトの実施例１〜１１および比較例１、２について詳述する。
以下の表１に示すとおり、ゴルフクラブシャフトの発泡体の有無、発泡体の厚み、装着位置（グリップ側シャフトエンドから発泡体の厚み方向の中心位置までの距離）、重量体の有無、重量を異ならせた実施例１〜１１および比較例１、２を作製し、それぞれのスイング方向慣性モーメント、面外一次振動減衰率を測定すると共に、振り易さおよび振動吸収性に関する実打評価および音鳴り評価を行い、その結果を表１に表した。
【００５２】
【表１】
2007125255.tif 000003
【００５３】
実施例１〜１１および比較例１、２のいずれも、シートワインディング製法で作成し、その製造方法および繊維強化樹脂プリプレグの積層構成は前記実施形態と同一とした。クラブ重量およびクラブバランスは表１に示すとおり設定した。
【００５４】
実施例１〜１１と比較例２はいずれも、シャフト中空部内に１つの振動吸収部材を装着し、該振動吸収部材でシャフト中空部の断面を完全に封鎖した。
実施例２〜１１の振動吸収部材は、いずれも第一実施形態と同一構成とした。即ち、発泡体をカットして二つの発泡体片に分割し、該発泡体片の間の中央に重量体を１つ挟み込み、発泡体の全表面に日東電工社製の両面テープ（Ｎｏ．５３２）を貼り付けて構成した。
【００５５】
実施例１〜１１の発泡体はいずれも、円盤形状のポリウレタン系発泡体で、比重は０．０２前後、具体的には、住友スリーエム社製「スコッチ・ブライト  スポンジエース」のウレタンスポンジ部分を切り取って使用した。
実施例２〜１１の重量体はいずれも、比重１１．３の鉛で成形した。
【００５６】
（実施例１）
発泡体の厚みを２ｍｍ、装着位置をシャフトエンドから２ｃｍとし、重量体は設けなかった。
（実施例２）
発泡体の厚みを２ｍｍ、装着位置をシャフトエンドから２ｃｍとし、該発泡体内に重量２ｇの重量体を挟み込んだ。
（実施例３）
発泡体の厚みを２ｍｍ、装着位置をシャフトエンドから２ｃｍとし、該発泡体内に重量４ｇの重量体を挟み込んだ。
（実施例４）
発泡体の厚みを２ｍｍ、装着位置をシャフトエンドから２ｃｍとし、該発泡体内に重量６ｇの重量体を挟み込んだ。
（実施例５）
発泡体の厚みを２ｍｍ、装着位置をシャフトエンドから０．６ｃｍとし、該発泡体内に重量２ｇの重量体を挟み込んだ。
（実施例６）
発泡体の厚みを２ｍｍ、装着位置をシャフトエンドから５ｃｍとし、該発泡体内に重量２ｇの重量体を挟み込んだ。
（実施例７）
発泡体の厚みを２ｍｍ、装着位置をシャフトエンドから９ｃｍとし、該発泡体内に重量２ｇの重量体を挟み込んだ。
（実施例８）
発泡体の厚みを２ｍｍ、装着位置をシャフトエンドから１３ｃｍとし、該発泡体内に重量２ｇの重量体を挟み込んだ。
（実施例９）
発泡体の厚みを５ｍｍ、装着位置をシャフトエンドから２ｃｍとし、該発泡体内に重量２ｇの重量体を挟み込んだ。
（実施例１０）
発泡体の厚みを９ｍｍ、装着位置をシャフトエンドから２ｃｍとし、該発泡体内に重量２ｇの重量体を挟み込んだ。
（実施例１１）
発泡体の厚みを１３ｍｍ、装着位置をシャフトエンドから２ｃｍとし、該発泡体内に重量２ｇの重量体を挟み込んだ。
【００５７】
（比較例１）
振動吸収部材を装着しなかった。即ち、シャフト中空部内には発泡体も重量体も装着しなかった。
（比較例２）
実施例１の発泡体に替えて、同じ発泡材料からなるが未発泡のポリウレタン部材を用いたが、その他は実施例１と同一とした。
【００５８】
（スイング方向慣性モーメントの測定方法）
慣性モーメントの測定器８０として、Inertia Dynamics 社製のMOI-005-104を使用し、図８に示すように、クラブの重心点をテーブル８１から突設した支持８２の中心に合わせて固定し、ゴルフクラブ１０の重心点を中心にしてゴルフクラブが水平面内で振動するように振動させ、重心点回りの慣性モーメントＭＩを測定し、次ぎに、ゴルフクラブのスイング方向慣性モーメント（ｇ・ｃｍ２）を下式から算出する。
クラブのスイング方向慣性モーメント＝ＭＩ＋重心距離の２乗（ｃｍ）×クラブ重量／９８０
【００５９】
（面外一次振動減衰率の測定方法）
図９に示すように、シャフト１０のグリップ側端部１３を紐５０で吊り上げ、グリップ側シャフトエンド１６から３７０ｍｍの位置に加速度ピックアップ計５１を取り付け、加速度ピックアップ計５１を取り付けた反対側をインパクトハンマー５２で加振した。インパクトハンマー５２に取り付けられたフォースピックアップ計５３で計測した入力振動Ｆと加速度ピックアップ計５１で計測した応答振動αをアンプ５６Ａ、５６Ｂを介して周波数解析装置５７（ヒューレットパッカード社製  ダイナミックシングルアナライザー  ＨＰ３５６２Ａ）に入力して解析した。解析で得た周波数領域での伝達関数を求め、クラブの振動数を得た。下式により振動減衰率（ζ）を求め、面外一次振動減衰率とした。
ζ＝（１／２）×（△ω／ωｎ）
Ｔｏ＝Ｔｎ×√２
【００６０】
（振り易さ、振動吸収性の実打評価）
中・上級者（ゴルフ歴１０年以上、現在も月１回以上プレーする条件を満たす）２５名が、実施例および比較例の各シャフトを用いたクラブ（住友ゴム工業株式会社製SRIXON  W-404）で、５球ずつボールを打ち、振り易さおよび振動吸収性について５点満点の官能評価を行い、その平均を表１に示した。
【００６１】
（音鳴り評価）
実施例および比較例の各シャフト内に、少量の繊維強化樹脂の破片を入れ、シャフトを振ったときの音鳴りを確認した。音鳴りがないものを「○」、音鳴りが発生したものを「×」として表１に示した。
【００６２】
表１の結果から分かるように、発泡体を装着した実施例１〜１１は、面外一次振動減衰率も高く、実打評価においても振動・衝撃の吸収性がよかった。
一方、発泡体を装着しなかった比較例１や未発泡のポリウレタン部材を装着した比較例２は、振動減衰率も低く、実打評価も低かった。
【００６３】
特に、実施例１と比較例１、２を比較すると、重量体がなくても発泡体を装着するだけで、振動減衰率が上がり、振動や衝撃を緩和することが分かる。これは、発泡体の共振効果に因ると考えられ、発泡材料が振動吸収に好適であることが確認できた。
【００６４】
重量体のない実施例１と重量体を設けた実施例２、３、４とを比較すると、重量体を設けた実施例２、３、４の方が振動減衰率が高く、実打評価も高くなった。これは、発泡体のバネ効果と重量体の共振効果とが合わさり、より効果的に振動減衰機能が発揮されたためと考えられる。
【００６５】
実施例３、４を比較すると、重量体の重量が４ｇの実施例３の方が、重量体の重量が６ｇの実施例４よりも振動減衰率が高いことが分かった。また、実施例４はスイング方向慣性モーメントが高く、振り易さの実打評価も低かった。これは、実施例４のゴルフクラブ重量が大きくなったことに因ると考えられ、重量体の重量は５ｇ以下が好適であることが確認できた。
【００６６】
実施例２、５、６、７、８を比較すると、発泡体の装着位置が、グリップ側シャフトエンドから１ｃｍ以上１０ｃｍ以下の範囲内にある実施例２、６、７で高い振動減衰効果があることが分かった。これは、シャフトエンドから０．６ｃｍに発泡体を装着した実施例５は、発泡体がグリップエンドと接触して振動が規制されてしまい、シャフトエンドから１３ｃｍに発泡体を装着した実施例８は、振動モードの節に近づいてしまい、いずれも十分な振動減衰効果を発揮できなかったことに因ると考えられるが、実施例２も実施例８も、比較例１よりは高い振動減衰効果が得られた。
また、実施例８は、重心が先寄りになったために、スイング方向慣性モーメントも大きくなり、実打評価においても振り易さの評価が低かった。
【００６７】
実施例２、９、１０、１１を比較すると、発泡体の厚みが１ｍｍ以上１０ｍｍ以下の範囲内にある実施例２、９、１０は振動減衰効果が高かったが、発泡体の厚みを１３ｍｍとした実施例１１は、振動減衰率も実打評価もやや低下した。これは、実施例１１の発泡体が剛性を有し、振動が規制されたことに因ると考えられるが、それでも比較例１、２よりは高い振動減衰効果が得られた。
【００６８】
比較例１は音鳴りが発生したが、実施例１〜１１および比較例２は音鳴りが発生しなかった。音鳴りの発生しなかったシャフトは、発泡体の表面に配設した粘着性材が破片を粘着捕捉したためと考えられる。
【図面の簡単な説明】
【００６９】
【図１】本発明の第一実施形態に係るゴルフクラブの概略図である。
【図２】図１に示すゴルフクラブシャフトの繊維強化プリプレグの積層構造を示す図である。
【図３】（Ａ）（Ｂ）は、図１に示す振動吸収部材の構成および作製手順を示す説明斜視図である。
【図４】振動吸収部材をシャフト中空部内への装着手順を示し、（Ａ）は中空部への挿入作業を示す斜視図であり、（Ｂ）は中空部内での装着状態を示す説明斜視図であり、（Ｃ）は中空部内での装着状態を示す断面図である。
【図５】第一実施形態の変形例１の振動吸収部材の中空部内での装着状態を示し、（Ａ）は説明斜視図であり、（Ｂ）は断面図である。
【図６】第一実施形態の変形例２の振動吸収部材の中空部内での装着状態を示し、（Ａ）は説明斜視図であり、（Ｂ）は断面図である。
【図７】本発明の第二実施形態を示す断面図である。
【図８】クラブのスイング水平方向慣性モーメントの測定方法を示す図面である。
【図９】面外一次振動減衰率の測定方法を示す図である。
【図１０】従来例の図である。
【図１１】他の従来例の図である。
【符号の説明】
【００７０】
１０  ゴルフクラブシャフト
１１  中空部
１６  グリップ側シャフトエンド
２１〜２７  プリプレグ
３１  振動吸収部材
３２、３６、３７  発泡体
３２−１、３２−２  発泡体片
３３、３３’  重量体
３４  両面テープ
３５  粘着性材
【図１】
2007125255.tif 000004
【図２】
2007125255.tif 000005
【図３】
2007125255.tif 000006
【図４】
2007125255.tif 000007
【図５】
2007125255.tif 000008
【図６】
2007125255.tif 000009
【図７】
2007125255.tif 000010
【図８】
2007125255.tif 000011
【図９】
2007125255.tif 000012
【図１０】
2007125255.tif 000013
【図１１】
2007125255.tif 000014